(57)【要約】  持続時間が延長された非エアゾール型の機械式噴霧器が、ボトルの頂部上にねじ込まれているスプレーヘッドを含む。このスプレーヘッドは、シリンダ内のばね付勢ピストンと、可とう性ケーブルを介してピストンに連結されているレバーとを含む。親指サポートが、レバーの移動を容易にするために備えられている。荷重支持面が、そのレバーを移動させることによって及ぼされる力を吸収するために備えられている。回転止め構造が、ボトルに対して相対的にスプレーヘッドを配置するために備えられている。スプレーヘッド内の窓が、シリンダの中身が目視されることを可能にする。特定の実施形態では、ノズルがスプレーヘッドの一方の末端に配置されており、かつ、入口と出口とが連結されているアキュムレータの末端がスプレーヘッドの反対側に配置されている。
2008543544.tif 000002
【特許請求の範囲】
【請求項１】
ボトルと共に使用するための持続時間が延長された非エアゾール型の機械式噴霧器であって、
第１の末端と第２の末端とを有するスプレーヘッドと、
前記第１の末端に配置されているノズルおよび引き金と、
前記第１の末端と前記第２の末端との間に取り付けられており、かつ、前記第１の末端と前記第２の末端との間を移動可能であるレバー
とを備え、
前記噴霧器は、前記レバーを前記スプレーヘッドの前記第２の末端に向かって移動させることによって充填される
噴霧器。
【請求項２】
前記第１の末端と前記第２の末端との間で前記スプレーヘッドから上方に延びる親指サポートをさらに備える請求項１に記載の噴霧器。
【請求項３】
シリンダと、前記シリンダ内に可動的に取り付けられているピストンと、前記ピストンと前記レベーとに連結されているケーブルとをさらに備え、これによって、前記スプレーヘッドの前記第２の末端に向かう前記レバーの移動が前記シリンダ内で前記ピストンを移動させる請求項１に記載の噴霧器。
【請求項４】
前記ケーブルが上に乗る少なくとも１つのプーリをさらに備える請求項３に記載の噴霧器。
【請求項５】
前記第１の末端と前記第２の末端との間で前記スプレーヘッドから下方に延びるねじ山付きボトルカップリングをさらに含む請求項１に記載の噴霧器。
【請求項６】
前記ボトルカップリングは垂直軸線を画定し、および、前記レバーは、前記垂直軸線に対して実質的に垂直である旋回軸線を中心として回転する請求項５に記載の噴霧器。
【請求項７】
前記旋回軸線は前記垂直軸線と実質的に交差する請求項６に記載の噴霧器。
【請求項８】
前記レバーは、前記スプレーヘッドの互いに反対側の側部の上を延びる１対のアームと、前記アームを連結する直立したハンドルとを有する請求項１に記載の噴霧器。
【請求項９】
前記スプレーヘッドの上部部分上のスロットをさらに備え、前記レバーは、前記スロットに係合する下方に延びるラダーを含む請求項１に記載の噴霧器。
【請求項１０】
前記スロットの一方の末端において前記スプレーヘッドから上方に延びる親指サポートをさらに備える請求項９に記載の噴霧器。
【請求項１１】
持続時間が延長された非エアゾール型の機械式噴霧器アセンブリであって、
ボトルと、
前記ボトルに連結されており、かつ、第１および第２の末端を有するスプレーヘッドと、
前記第１の末端に配置されているノズルおよび引き金と、
前記第１および第２の末端の間に取り付けられており、かつ、前記第１および第２の末端の間を移動可能であるレバー
とを備え、
前記噴霧器は、前記スプレーヘッドの前記第２の末端に向かって前記レバーを移動させることによって充填される
噴霧器アセンブリ。
【請求項１２】
前記第１および第２の末端の間で前記スプレーヘッドから上方に延びる親指サポートをさらに備える請求項１１に記載の噴霧器アセンブリ。
【請求項１３】
シリンダと、前記シリンダ内に可動的に取り付けられているピストンと、前記ピストンと前記レベーとに連結されているケーブルとをさらに備え、これによって、前記スプレーヘッドの前記第２の末端に向かう前記レバーの移動が前記シリンダ内で前記ピストンを移動させる請求項１１に記載の噴霧器アセンブリ。
【請求項１４】
前記ケーブルが上に乗る少なくとも１つのプーリをさらに備える請求項１３に記載の噴霧器アセンブリ。
【請求項１５】
前記第１の末端と前記第２の末端との間で前記スプレーヘッドから下方に延びるねじ山付きボトルカップリングをさらに含む請求項１１に記載の噴霧器アセンブリ。
【請求項１６】
前記ボトルカップリングは垂直軸線を画定し、および、前記レバーは、前記垂直軸線に対して実質的に垂直である旋回軸線を中心として回転する請求項１５に記載の噴霧器アセンブリ。
【請求項１７】
前記旋回軸線は前記垂直軸線と実質的に交差する請求項１６に記載の噴霧器アセンブリ。
【請求項１８】
前記レバーは、前記スプレーヘッドの互いに反対側の側部の上を延びる１対のアームと、前記アームを連結する直立したハンドルとを有する請求項１１に記載の噴霧器アセンブリ。
【請求項１９】
前記スプレーヘッドの上部部分上のスロットをさらに備え、前記前記レバーは、前記スロットに係合する下方に延びるラダーを含む請求項１１に記載の噴霧器アセンブリ。
【請求項２０】
前記スロットの一方の末端において前記スプレーヘッドから上方に延びる親指サポートをさらに備える請求項１９に記載の噴霧器アセンブリ。
【請求項２１】
持続時間が延長された非エアゾール型の機械式噴霧器アセンブリであって、
ねじ山付きの開口部を有するボトルと、
前部および後部と、前記前部におけるノズルおよび引き金と、前記噴霧器を充填するために前記前部から前記後部に移動可能である充填要素と、前記引き金の背後にあり、かつ、前記引き金が前記ねじ山付きの開口部の第１の側部上に配置されているように前記ボトルの前記ねじ山付きの開口部に連結されているねじ山付きカップリングと、前記ねじ山付きの開口部の第２の側部上に配置されている荷重支持面であって、前記充填要素を前から後に移動させることによって及ぼされる力の垂直成分を受ける荷重支持面とを含むスプレーヘッドと、
を備える噴霧器アセンブリ。
【請求項２２】
前記ボトルは、前記ねじ山付きの開口部の前記第２の側部上に配置されている指片を有し、前記指片は上方に延び、および、前記スプレーヘッド上の前記荷重支持面に係合する請求項２１に記載の噴霧器アセンブリ。
【請求項２３】
前記指片は、前記スプレーヘッドに係合して前記ねじ山付きの開口部を中心とした前記スプレーヘッドの回転を防止するデテントを有する請求項２２に記載の噴霧器アセンブリ。
【請求項２４】
前記ボトルと前記スプレーヘッドの一方は、前記ねじ山付きの開口部を中心とした前記スプレーヘッドの回転を防止する回転止め構造を有する請求項２２に記載の噴霧器アセンブリ。
【請求項２５】
前記回転止め構造はボタンとスロットとを含む請求項２４に記載の噴霧器アセンブリ。
【請求項２６】
前記回転止め構造はバヨネットロックを含む請求項２４に記載の噴霧器アセンブリ。
【請求項２７】
前記スプレーヘッドは、前記ねじ山付きの開口部の前記第２の側部上に配置されている指片を有し、前記指片は下方に延び、および、前記ボトル上の表面に係合する請求項２１に記載の噴霧器アセンブリ。
【請求項２８】
前記指片は、前記ボトルに係合して前記ねじ山付きの開口部を中心とした前記スプレーヘッドの回転を防止するインターロックを有する請求項２７に記載の噴霧器アセンブリ。
【請求項２９】
前記ボトルと前記スプレーヘッドの一方は、前記ねじ山付きの開口部を中心とした前記スプレーヘッドの回転を防止する回転止め構造を有する請求項２７に記載の噴霧器アセンブリ。
【請求項３０】
前記回転止め構造はボタンとスロットとを含む請求項２９に記載の噴霧器アセンブリ。
【請求項３１】
ねじ山付きの開口部を有するボトルと共に使用するための持続時間が延長された非エアゾール型の機械式噴霧器であって、
前部と後部とを有するハウジングと、
前記ハウジングの前記前部に取り付けられているノズルおよび引き金と、
前記ハウジングに連結されており、かつ、前記噴霧器を充填するために前記前部から前記後部に移動可能であるレバーと、
前記引き金の背後にあり、かつ、前記引き金が前記ねじ山付きの開口部の第１の側部上に配置されるように前記ボトルのねじ山付きの開口部に連結されているねじ山付きカップリングと、
前記ねじ山付きの開口部の第２の側部上に配置されている荷重支持面であって、前記レバーを前から後に移動させることによって加えられる力の垂直成分を吸収する荷重支持面と、
を備える噴霧器。
【請求項３２】
前記ハウジングは、前記ねじ山付きの開口部の前記第２の側部上に配置されている指片を有し、前記指片は下方に延びて前記ボトルに係合する請求項３１に記載の噴霧器。
【請求項３３】
前記指片は、前記ねじ山付きの開口部を中心とした前記スプレーヘッドの回転を防止する回転止め構造を有する請求項３２に記載の噴霧器。
【請求項３４】
スプレーヘッドの前部からスプレーヘッドの後部に移動可能であるレバーを有するスプレーヘッドと共に使用するためのボトルであって、
前記スプレーヘッドと嵌合するためのねじ山付きの開口部と、
前記ねじ山付きの開口部に隣接している荷重支持面であって、前記レバーを前から後に移動させることによって加えられる力の垂直成分を吸収する荷重支持面と、
を備えるボトル。
【請求項３５】
前記ねじ山付きの開口部に沿って上方に延びる指片をさらに備え、および、前記荷重支持面は前記指片の頂上に配置されている請求項３４に記載のボトル。
【請求項３６】
前記ねじ山付きの開口部を中心とした前記スプレーヘッドの回転を防止する回転止め構造をさらに備える請求項３４に記載のボトル。
【請求項３７】
前記回転止め構造は前記荷重支持面と一体状である請求項３６に記載のボトル。
【請求項３８】
ボトルと共に使用するための持続時間が延長された非エアゾール型の機械式噴霧器であって、
第１の末端と第２の末端とを有するスプレーヘッドと、
前記第１の末端に取り付けられているノズルおよび引き金と、
前記スプレーヘッドの内側に取り付けられており、かつ、前記第２の末端に面する流体入口／出口を有する流体シリンダと、
前記引き金によって操作可能であり、かつ、入口と出口を有する出口弁と、
前記流体入口／出口に連結されており、かつ、前記スプレーヘッドの前記第１の末端に向かって延び、かつ、前記出口弁の前記入口に連結されている第１のチューブと、
前記弁の前記出口と前記ノズルとに連結されている第２のチューブと、
を備える噴霧器。
【請求項３９】
前記引き金によって操作可能な空気逃し弁であって、前記ボトルに空気が入ることを可能にするように位置決めされている空気逃し弁をさらに備える請求項３８に記載の噴霧器。
【請求項４０】
前記流体入口／出口に連結されている第３のチューブに連結されている入口逆止め弁をさらに備える請求項３９に記載の噴霧器。
【請求項４１】
前記流体シリンダ内に可動的に取り付けられているピストンをさらに備え、これによって、前記流体入口／出口から遠ざかる前記ピストンの移動が前記逆止め弁が開くことを引き起こす請求項４０に記載の噴霧器。
【請求項４２】
前記ピストンに連結されているケーブルをさらに備え、前記ケーブルは前記スプレーヘッドの外に延びる請求項４１に記載の噴霧器。
【請求項４３】
前記スプレーヘッドと前記ケーブルとに連結されているレバーをさらに備える請求項４２に記載の噴霧器。
【請求項４４】
持続時間が延長された非エアゾール型の機械式噴霧器アセンブリであって、
ボトルと、
前記ボトルに連結されており、かつ、第１の末端と前記第２の末端とを有するスプレーヘッドと、
前記第１の末端に取り付けられているノズルおよび引き金と、
前記スプレーヘッドの内側に取り付けられており、かつ、前記第２の末端に面する流体入口／出口を有する流体シリンダと、
前記引き金によって操作可能であり、かつ、入口と出口を有する出口弁と、
前記流体入口／出口に連結されており、かつ、前記スプレーヘッドの前記第１の末端に向かって延び、かつ、前記出口弁の前記入口に連結されている第１のチューブと、
前記弁の前記出口と前記ノズルとに連結されている第２のチューブと、
を備える噴霧器アセンブリ。
【請求項４５】
前記引き金によって操作可能な空気逃し弁であって、前記ボトルの中に空気が入ることを可能にするように位置決めされている空気逃し弁をさらに備える請求項４４に記載の噴霧器アセンブリ。
【請求項４６】
前記流体入口／出口に連結されている第３のチューブに連結されている入口逆止め弁をさらに備える請求項４５に記載の噴霧器アセンブリ。
【請求項４７】
前記流体シリンダ内に可動的に取り付けられているピストンをさらに備え、これによって、前記流体入口／出口から遠ざかる前記ピストンの移動が、前記逆止め弁が開くことを引き起こす請求項４６に記載の噴霧器アセンブリ。
【請求項４８】
前記ピストンに連結されているケーブルをさらに備え、前記ケーブルは前記スプレーヘッドの外に延びる請求項４７に記載の噴霧器アセンブリ。
【請求項４９】
前記スプレーヘッドと前記ケーブルとに連結されているレバーをさらに備える請求項４８に記載の噴霧器アセンブリ。
【請求項５０】
ボトルと共に使用するための持続時間が延長された非エアゾール型の機械式噴霧器であって、
スプレーヘッドと、
前記スプレーヘッドの内側に取り付けられている透明なまたは半透明な流体シリンダ
とを備え、
前記スプレーヘッドは、前記流体シリンダの中身が中を通して目視可能である第１の窓を有する噴霧器。
【請求項５１】
前記スプレーヘッドは、前記スプレーヘッドを前記ボトルに連結するためのカップリングを有し、および、前記カップリングは垂直軸線を画定し、
前記流体シリンダは、前記垂直軸線を横断する軸線を有する
請求項５０に記載の噴霧器。
【請求項５２】
前記第１の窓は前記流体シリンダの前記軸線に対して実質的に平行である請求項５１に記載の噴霧器。
【請求項５３】
前記スプレーヘッドは、前記流体シリンダの中身が中を通して目視可能である第２の窓を有し、および、前記第１の窓は前記スプレーヘッドの一方の側部上にあり、かつ、前記第２の窓は前記スプレーヘッドの別の側部上にある請求項５０に記載の噴霧器。
【請求項５４】
持続時間が延長された非エアゾール型の機械式噴霧器であって、
ボトルと、
前記ボトルに連結されているスプレーヘッドと、
前記スプレーヘッドの内側に取り付けられている透明なまたは半透明な流体シリンダ
とを備え、
前記スプレーヘッドは、前記流体シリンダの中身が中を通して目視可能である第１の窓を有する噴霧器アセンブリ。
【請求項５５】
前記スプレーヘッドはカップリングによって前記ボトルに連結されており、および、前記カップリングは垂直軸線を画定し、
前記流体シリンダは、前記垂直軸線を横断する軸線を有する
請求項５４に記載の噴霧器アセンブリ。
【請求項５６】
前記第１の窓は前記流体シリンダの前記軸線に対して実質的に平行である請求項５５に記載の噴霧器アセンブリ。
【請求項５７】
前記スプレーヘッドは、前記流体シリンダの中身が中を通して目視可能である第２の窓を有し、および、前記第１の窓は前記スプレーヘッドの一方の側部上にあり、かつ、前記第２の窓は前記スプレーヘッドの別の側部上にある請求項５６に記載の噴霧器アセンブリ。
【発明の詳細な説明】
【技術分野】
【０００１】
本発明は一般的に非エアゾール型噴霧器に関する。さらに特に、本発明は持続時間が延長された機械式噴霧器に関する。
【背景技術】
【０００２】
多くの家庭用製品および工業用製品が、噴霧器を含む容器に入れて販売されている。こうした製品は、洗剤、殺虫剤、光沢剤、ワックス等を含む。これらの製品と共に使用される幾つかの種類の噴霧器が存在する。液体洗剤において最も頻繁に見かけられる手動の押しボタンまたは引き金によって作動させられるポンプが、最も一般的だろう。このポンプは、環境に優しい（すなわち、噴射剤を必要としない）という利点を有するが、連続噴霧の形ではなく一連のパルスの形で流体を供給するという欠点を有する。別の公知の噴霧器が、密封されておりかつガス噴射剤を充填されているエアゾール缶である。この噴霧器は、連続した噴霧の形で流体を供給するという利点を有するが、幾つかの欠点を有する。１つの欠点が、エアゾール缶の再充填が不可能であることである。別の欠点が、容器を充填するために使用されるガスによっては、噴射剤が環境に対して有害である可能性があるということである。環境に優しい噴射剤が存在するが、一般的に、こうした噴射剤は、環境に有害な噴射剤に比べて充填が面倒である。さらに別の普及している噴霧器が、殺虫剤と液体園芸製品で最も数多く見かけられる空気ポンプ噴霧器である。例えば、Ｃｈｏｗに対する米国特許番号第４，１９２，４６４号を参照されたい。このポンプ噴霧器は、圧縮空気を容器に充填するために使用される手動空気ポンプを含む。この容器が充填された後に、この容器は、噴霧器頭部が典型的にはホースによってその容器に取り付けられていることと、その容器に運搬用ハンドルが備えられていることとを除いて、エアゾール缶に非常に類似した形で動作する。この設計は、庭師が、そのポンプが地面上にある時にそのポンプを充填して、その次に、一方の手で噴霧器を操作すると同時に他方の手でハンドルを使用して搬送することを可能にする。この空気ポンプ噴霧器は環境に優しいが、空気は、ＦＲＥＯＮまたは炭化水素ガスのような環境に有害なガスよりも効率が劣る噴射剤なので、充填状態を維持するためにかなりの労力を必要とする。充填のためには、庭師が空気ポンプをポンプ操作する最中に、その容器が地面に置かれることが必要である。
【０００３】
さらに別のタイプの噴霧器が、ばねで付勢されている持続時間が延長されたポンプである。このポンプの一例が、Ｓｈａｎｋｌｉｎ他に対する米国特許第５，８１０，２１１号に示されている。上述の空気ポンプと同様に、この噴霧器は、典型的には、殺虫剤や除草剤等のような園芸用製品のために使用される。このポンプは流体容器の内側に取り付けられ、および、ホース（可とう性のチューブ）によって手持ち式の噴霧器に連結される。この容器はハンドルを備えており、および、そのポンプは、地面上またはテーブル頂部のような表面上にその容器を保持しながらプライミングされる。このばね付勢ポンプは、ノズルを通して容器から液体を噴霧するために空気を使用しない。むしろ、ばねで付勢されたピストンがシリンダの内側に備えられ、および、ばねの中を通ってシリンダの外におよび容器の外に延びてハンドルで終端する棒に連結されている。逆止め入口弁がシリンダに連結されており、および、スプレーヘッドからのチューブが逆止め出口弁を経由してそのシリンダに連結されている。ハンドルが引っ張られる時に、ピストンが、ばねに逆らってシリンダ内を移動させられ、および、液体を容器から逆止め入口弁を経由してシリンダ内に吸い込む。ハンドルが解放される時には、ばねが、シリンダ内で液体に加圧するピストンに対して力を及ぼす。液体のための出口だけが、液体の計量供給を制御するための噴霧弁を有するスプレーヘッドへのチューブの中に逆止め出口弁を経由して通じている。手持ち式噴霧器上のボタンを押すことによって噴霧弁が開かれる時に、加圧された液体がシリンダからチューブの中を通って噴霧弁に流れ、この噴霧弁の中を通って手持ち式噴霧器上のノズルの外に流れる。噴霧の持続時間は、シリンダの容積と、ばねの力と、ノズルのサイズ／形状によって決まる。ばねがピストンを開始位置に戻す時には、維持された連続噴霧が終わり、および、ポンプは再びプライミングされなければならない。シリンダ内の液体の量が、容器の外に延びる棒の長さによって計測されることが可能である。
【０００４】
ばねで付勢された持続時間が延長されたポンプは多くの利点を有する。このポンプは環境に優しい。このポンプは操作が比較的容易であり、および、空気ポンプ噴霧器よりも潜在的に効率が高い。しかし、こうした噴霧器は幾つかの欠点を有する。容器が一方の手で保持されると同時にポンプが他方の手でプライミングされなければならないということが、欠点である。ポンプシリンダが流体容器の内側の空間を占めるということが、別の欠点である。さらに、ポンプがプライミングされる時にピストン棒が液体容器の外に延びることも欠点である。この突き出している棒は取り扱いにくく、および、使用の際に噴霧器と容器とを持ち歩く時に、邪魔になるか、または、何かに引っ掛かる可能性がある。
【０００５】
上述の欠点の幾つかが、手持ち式の噴霧器の中にばね付勢ピストンとシリンダとを配置することを提案している、Ｈａｖｌｏｖｉｔｚに対する米国特許番号第６，４１５，９５６号においてすでに対処されている。しかし、これは、ピストン棒が邪魔になるかまたは何かに引っ掛かる可能性がある空間の中に延びるピストン棒の欠点を解決しない。さらに、手持ち式の噴霧器内にポンプを収容するために、かなり複雑な噴霧弁構成が必要とされる。
【発明の開示】
【発明が解決しようとする課題】
【０００６】
したがって、本発明の目的が、持続時間が延長された非エアゾール型の機械式噴霧器を提供することである。
【０００７】
本発明の別の目的が、流体容器内に収容されていない持続時間が延長された非エアゾール型の機械式噴霧器を提供することである。
【０００８】
本発明のさらに別の目的が、容器を表面上に置くことなしにプライミングされることが可能な持続時間が延長された非エアゾール型の機械式噴霧器を提供することである。
【０００９】
本発明のさらに別の目的が、その噴霧器がプライミングされる時にその噴霧器から延びるピストン棒を持たない持続時間が延長された非エアゾール型の機械式噴霧器を提供することである。
【００１０】
本発明のさらに別の目的が、単純な噴霧弁構成を有する持続時間が延長された非エアゾール型の機械式噴霧器を提供することである。
【課題を解決するための手段】
【００１１】
詳細に後述されるこれらの目的にしたがって、持続時間が延長された非エアゾール型の機械式噴霧器が、一体型ユニットを形成するようにボトルの頂部上にねじ込まれているスプレーヘッドを含む（すなわち、可とう性チューブによって容器に連結されている噴霧器ではない）。このスプレーヘッドは、（アキュムレータとも呼ばれる）シリンダ内のばね付勢ピストンと、可とう性ケーブルによってこのピストンに連結されているレバー充填要素と、アキュムレータに対する入口とボトルとの間の入口逆止め弁と、入口とピストンの同じ側に配置されている出口チューブと、ノズルと、出口とノズルとの間に配置されている出口弁と、出口弁を駆動する引き金機構とを含む。
【００１２】
本発明の特定の実施態様では、ノズルはスプレーヘッドの一方の末端に配置されており、および、入口と出口とが連結されているアキュムレータの末端がスプレーヘッドの反対側の末端に配置されている。したがって、ピストンは、ポンプをプライミングするためにノズルに向かって移動させられなければならず、および、ピストンは噴霧中にノズルから遠ざかる。
【００１３】
レバーはスプレーヘッドの外側上に取り付けられており、および、ポンプを充填するためにスプレーヘッドの前部（ノズル端部）からスプレーヘッドの後端部に移動可能である。一連のプーリが、可とう性ケーブルをピストンからレバーに案内するために配置されている。（従来技術で示されているものとは反対である）この構成では、チューブが、スプレーヘッドの背部にあるシリンダの出口を、ノズルが配置されている前部に連結するために備えられなければならない。しかし、この構成の利点は、弁／引き金構成がより単純に作られることが可能であるということである。別の実施態様では、アキュムレータは、その入口と出口とがノズルに隣接しているように配置されている。一実施態様では、出口弁はアキュムレータと一体状である。
【００１４】
この現時点で好ましい実施態様では、アキュムレータが充填される時に維持される垂直方向の力成分を支持する荷重支持面が、ボトルとスプレーヘッドとの間のカップリングの背後に配置されている。この荷重支持面は、ボトルの一部分であるか、または、スプレーヘッドの一部分であるか、または、この両方であってよい。この荷重支持面は、回転止めデテントまたはバヨネットピンを備えてもよい。この荷重支持面は、ポンプを充填するためにレバーが後方に引っ張られる時に、ボトルのネック上とカップリング上との応力を解放する。
【００１５】
採用随意に、親指サポート／グリップがスプレーヘッドの頂部上に備えられている。この親指サポート／グリップは、指で充填レバーを引っ張りながらその受け／グリップの背後に親指を置くことによって、ポンプを充填する時に、てこの作用をユーザが利用することを可能にする。
【００１６】
本発明の別の好ましい実施態様では、アキュムレータが透明であり、かつ、アキュムレータの中身が目視できるようにスプレーヘッドの少なくとも片方の側部上に窓が設けられている。このことが、ポンプを充填することが必要かどうかを容易に判断することを可能にする。
【００１７】
最も最近の好ましい実施態様では、アキュムレータは、ボトルの垂直軸線に対して実質的に垂直に配置されており、かつ、その入口と出口はノズルに隣接している。
【００１８】
提供されている図面に関連付けて行われている以下の詳細な説明を参照することによって、本発明のさらに別の目的と利点とが当業者に明らかになるだろう。
【発明を実施するための最良の形態】
【００１９】
図１から図６は、噴霧器１０とボトル１２との第１の実施形態を示す。噴霧器１０は、概して、左の半シェル（ｓｈｅｌｌ）１４と右の半シェル１６とを有する長円形の本体を含む。この半シェルの各々は、上部ベーン（ｕｐｐｅｒ  ｖａｎｅ）１４ａ、１６ａと下部ウイング（ｌｏｗｅｒ  ｗｉｎｇ）１４ｂ、１６ｂとを有する。例えば半シェルの少なくとも一方（例えば、半シェル１４）は、側方窓１４ｃを有する。２つのベーン１４ａ、１６ａは互いに接合して、図３に最も適切に見てとれるように、本体の前部から後部の手前の箇所に延びる溝１８を画定する。本体の前部は、調整可能なノズル２０を備えており、および、本体の底部は、引き金２２と、ボトルカップリング２４と、荷重支持面２６とを備えている。引張りレバー２８がウイング１４ｂ、１６ｂの上方に取り付けられている。レバー２８は、２つの脚部２８ａ、２８ｂと横部材２８ｃとを有する、概ね逆Ｕ字形の形状である。横部材２８ｃは、上方に延びるハンドル２８ｄと、溝１８内で係合しかつ跨る下方に延びるラダー（ｒｕｄｄｅｒ）２８ｅとを画定する。脚部２８ａ、２８ｂの末端は、それらから内向きに延びるラグ（ｌｕｇ）またはボス（ｂｏｓｓ）２８ｆ、２８ｇ（図４）を有する。これらのラグまたはボスは、左半シェル１４と右半シェル１６との中の穴１４ｄ、１６ｄと係合し、および、レバー２８の旋回軸線を画定する。この旋回軸線は、ボトルカップリング２４の垂直軸線に接近して位置合わせされているか、または、この垂直軸線に整合させられていることが好ましい。
【００２０】
ボトル１２は、下部タンク区域３０と、成人の手によって把持されるように寸法決定されている上部ネック３２とを有する。このネック３２は、噴霧器１０のカップリング２４の下方に隠されているねじ山付きのカップリングを有する。このカップリングの背後において、ボトルは、噴霧器１０上の荷重支持面２６に突き当たる荷重支持面３４を有する。図示されているように、荷重支持面３４は、噴霧器上の平らな表面に突き当たるようにカップリング２４の背後に隆起する、ステム（ｓｔｅｍ）３５上のプラトーである。このステム３５と荷重支持面３４が概ね半円形であり、かつ、レバー２８の後方移動中に垂直の荷重を支持するのに十分な厚さを有することが好ましい。しかし、噴霧器の荷重支持面が下方の延長部分の底部にあり、かつ、ボトル上の荷重支持面がその下の平らな表面であることが可能であることが理解されるだろう。ボトル１２の別の特徴が、引き金２２と噴霧器のカップリング２４との下方にかつこれらの間に配置されている指乗せ（ｆｉｎｇｅｒ  ｒｅｓｔ）３６である。使用時には、ユーザが、引き金を引くために人差し指を使用すると同時に、ネック３２を中指と薬指と小指とで把持する。指乗せ３６は、このユーザの中指がネックからずり上がって引き金２２の経路の中に入ることを防止する。
【００２１】
上述の説明と後述の説明とから、当業者は、本発明の荷重支持面構成が、充填中に充填要素が垂直な荷重成分によってボトルに力を及ぼす他の噴霧器においても有用であり得るということを理解するだろう。明らかなことであるが、これは大半のレバーに当てはまり、および、他の充填要素に当てはまるだろう。
【００２２】
次に図４から図６を見ると、噴霧器１０の内側の機構が詳細に示されている。この噴霧器は、アキュムレータ４０（ピストンシリンダ）と、ピストン４２と、ピストン保持器４４と、付勢ばね４６と、アキュムレータキャップ４８と、引張りケーブル５０とを含む。これらの構成要素は、引張りケーブル５０をキャップ４８とばね４６との中を通して保持器４４に延ばすことによって組み合わせられている。ケーブル５０の一方の末端が、ピストン４２に連結されている保持器４４に取り付けられている。ピストン４２は、保持器４４とこの後に続くケーブル５０と共にアキュムレータ４０の中に挿入されている。ばね４６は、保持器４４の背後においてアキュムレータ４０の中に挿入され、および、このアキュムレータはキャップ４８によって閉じられている。ケーブル５０の自由端部がキャップ４８の中を通って延びて、引張りレバー２８に取り付けられている。キャップ４８の反対側のアキュムレータの末端には、マニホルド５４が取り付けられている流体入口／出口５２（図５と図６に最も適切に見てとれる）が存在する。２つのホース５６、５８が、図６に最も適切に見てとれるように、マニホルド５４に連結されている。入口ホース５６はボール逆止めマニホルド６０にも連結されており、このボール逆止めマニホルド６０は、ボトル内の流体の中に下方に延びる吸い込みチューブ（図示されていない）に連結されている逆止め弁を形成するように連係して動作するプラスチックボール６２とボール逆止め取り付け部品とを含む。液体ホース５８は、二重弁本体６６の１つのシリンダ６６ａ（液体弁）の入口に連結されている。２つの追加のホース６８、７０が備えられている。通気ホース６８が二重弁本体６６の第２のシリンダ６６ｂ（空気弁）の入口に連結し、および、マニホルド６０を経由してボトルの内側内に延びる。液体ホース７０は、シリンダ６６の出口を、ノズル２０に連結されているノズルアダプタ７２に連結する。二重弁本体のシリンダ６６ａ、６６ｂの各々は、それぞれに、ばね７４ａ、７４ｂと、フレア形ピストン７６ａ、７６ｂと、ピストンキャップ７８ａ、７８ｂとを備えており、このピストンキャップは引き金２２に係合させられている。ばね７４ａ、７４ｂは、その休止状態において、ピストンを、シリンダ６６ａ、６６ｂの中を通る流体流をそのピストン上のフレア部分が遮断する位置に偏倚させる。ピストンのフレア部分は、引き金２２によって駆動される時に、シリンダのより大きい部分の中に移動し、これによって流体がシリンダの中を通って流れることを可能にする。
【００２３】
上述の説明から、当業者は、どのように噴霧器が動作するかを理解し、すなわち、噴霧器が次のように動作することを理解するだろう。噴霧ポンプは、引張りハンドル２８を（その旋回軸線を中心として）噴霧器の前部から後部に向かって移動させることによって充填される。このことが、ケーブル５０がアキュムレータ４０の外に引き出されて、ばね４６に逆らってピストン４２を流体入口／出口５２から引き離し、および、アキュムレータ４０とホース５６、５８との中に真空を生じさせる。ホース５６が逆止め弁アセンブリ６０、６２、６４に連結されているので、このホース５６はボール６２が上昇することを引き起こし、その弁を開き、流体がボトルからホース５６の中に入ってアキュムレータ４０の中に入ることを可能にする。ホース５６の末端が弁シリンダ６６ａ内のフレア形ピストンによって遮断されているので、ホース５６内の真空は何の作用もしない。ハンドル２８が釈放されるか、または、そのハンドルが動ける限り遠くまで（ケーブル５０の長さと、溝１８の長さとによって制限されている）後退移動させられて釈放される時には、ばね４６は、アキュムレータ４０内のピストン４２に逆らう力を及ぼし、その中の流体とホース５６内の流体とを圧縮し、このことがボール６２が落下することを引き起こし、ボトル内への流体経路を封止する。アキュムレータ４０からの流体が、加圧された状態で、マニホルド５４の中を通してホース５８の中に送り込まれるが、ピストンがシリンダ６６ａを遮断するので、さらに遠くには進まない。引き金２２が絞られる時には、シリンダ６６ａ内のピストンが移動させられ、このことがシリンダ内を流体が流れることを可能にする。アキュムレータ内の加圧された流体は、ホース５８の中を通り、シリンダ６６ａの中を通り、ホース７０の中を通って、ノズルアダプタ７２内に入り、および、ノズル２０の中を通って外に出る。流体がアキュムレータから放出される時には、流体のすべてがアキュムレータから排出されて、ばねと引張りハンドルとがその初期位置に向かって移動するまで、ばねがピストンをマニホルドに向かって押し進める。噴霧器が噴霧している時には、シリンダ６６ｂ内のピストンが移動させられ、このことが、空気がボトル内に入って、アキュムレータ内に先行して吸い込まれていた流体に取って代わることを可能にする。
【００２４】
図５と図６とに最も適切に見てとれるように、アキュムレータ４０は透明であり、および、図４に最も適切に見てとれるように、半シェル１４、１６の両方は窓１４ｃ、１６ｃを備えている。この窓は、アキュムレータの中身の目視を可能にする。さらに、この図示されている実施形態では、荷重支持面２６、３４は、ボトル上の回転止めフランジ３４ａ、３４ｂによって伴われているということに留意されたい。ハンドル２８が後退させられる時にこの荷重支持面がカップリング２４上の歪みを逃がすことと、回転止めフランジが荷重支持面に整合し、および、引き金２２を指乗せ３６と整合させることとが理解されるだろう。
【００２５】
次に図７を参照すると、噴霧器１０の第２の実施形態が、同様の部品を示す同様の照合番号（１００だけ増分されている）を伴う形で、上述の噴霧器１０と実質的に同一である。この実施形態では、親指サポート１１９がフィン（ｆｉｎ）部分１１４ａ、１１６ａの延長部分によって形成されている。この親指サポートは溝１８の末端に配置されている。噴霧器を充填する時には、ユーザが自分の親指を親指サポート１１９の背後に置いて、自分の指でレバーを把持し、および、てこの作用のために親指サポートを使用してそのレバーを後方に引く。噴霧器がこのように充填される場合には、低減した応力がカップリング１２４に及ぼされる。
【００２６】
図８から図１０は、同様の部品を示す同様の照合番号（２００だけ番号が増分されている）を伴う形で、図１から図３と同様である。外観上では、噴霧器２１０は噴霧器１０と同様であり、および、ボトル１２とボトル２１２は互いに同一である。噴霧器１０と噴霧器２１０との外観上の相違点は、フィン１４ａ、１６ａと比較した場合のフィン２１４ａ、２１６ａのサイズおよび形状と、レバー２８に比較した場合のレバー２２８の形状だけである。
【００２７】
図１１から図１３は、噴霧器２１０と図４から図６に示されている噴霧器１０との間の類似点と相違点とを示す。同様の照合番号（２００だけ番号が増分されている）が同様の部品を示す。設計上の大きな変更があった場合には、異なる参照番号が使用されている。噴霧器２１０は、アキュムレータ２４０（ピストンシリンダ）と、ピストン２４２と、ピストン保持器２４５と、プーリ２４７と、付勢ばね２４６と、アキュムレータキャップ２４９と、引張りケーブル２５１とを含む。ピストン保持器２４５は、プーリ２４７を支持するようになっているという点で、図４に示されているピストン保持器４４とは異なっている。次の段落でさらに詳細に説明するように、アキュムレータキャップ２４９と引張りケーブル２５１は、図４に示されているキャップ４８とケーブル５０とは異なっている。
【００２８】
これらの構成要素は、引張りケーブル２５１を、キャップ２４９の中を通し、ばね２４６の中を通し、プーリ２４７の周りを巡らせ、ばね２４６の中を通して戻して、キャップ２４９に締め付け固定することによって組み立てられている。ケーブル２５１の他方の末端がキャップ２４９内の開口の中を通って延び、レバー２２８に連結されている。ピストン２４２は、保持器２４５とプーリ２４７とその後に続くケーブル２５１と共にアキュムレータ２４０の中に挿入される。ばね２４６は、保持器２４５の背後でアキュムレータ２４０の中に挿入され、および、アキュムレータはキャップ２４９によって閉じられる。
【００２９】
図１２と図１３の最も適切に見てとれるように、キャップ２４９とは反対側に位置したアキュムレータの末端は、マニホルド２５４が取り付けられている流体入口／出口２５２である。入口ホース２５６が、さらに、ボール逆止めマニホルド２６０（図１１）に連結されており、このボール逆止めマニホルド２６０は、ボトル内の流体の中に下方に延びる吸い込みチューブ（図示されていない）に連結されている逆止め弁を形成するように連係して動作するプラスチックボール２６２とボール逆止め取り付け部品２６４とを含む。出口ホース２５８は、二重弁本体２６６の１つのシリンダ２６６ａ（液体弁）の入口に連結されている。２つの追加のホース２６８、２７０が備えられている。通気ホース２６８が二重弁本体２６６の第２のシリンダ２６６ｂ（空気弁）の入口に連結し、および、マニホルド２６０を経由してボトルの内側内に延びる。液体ホース２７０は、二重弁本体の第１のシリンダ２６６ａ（液体弁）の出口を、ノズル２２０に連結されているノズルアダプタ２７２に連結する。図１１に最も適切に見てとれるように、二重弁本体のシリンダ２６６ａ、２６６ｂの各々は、それぞれに、ばね２７４と、フレア形ピストン２７６と、ピストンキャップ２７８とを備えており、このピストンキャップ２７８は引き金２２２によって係合されている。ばね２７４は、その休止状態において、ピストンを、シリンダ２６６ａ、２６６ｂの中を通る流体流をそのピストン上のフレア部分が遮断する位置に付勢する。ピストン上のフレア部分は、引き金２２２によって駆動される時に、シリンダのより大きい部分の中に移動させられ、これによって流体がシリンダの中を通って流れることを可能にする。
【００３０】
上述の説明から、当業者は、どのように噴霧器が動作するかを、すなわち、噴霧器が次のように動作することを理解するだろう。噴霧ポンプは、引張りハンドル２２８を、その旋回軸線を中心として回転させながら、噴霧器の前部から後部に向かって移動させることによって充填される。このことが、ケーブル２５１がアキュムレータ２４０の外に引き出されて、ばね２４６に逆らってピストン２４２を流体入口／出口２５２から引き離し、および、アキュムレータ２４０とホース２５６、２５８との中に真空を生じさせる。ホース２５６が逆止め弁アセンブリ２６０、２６２、２６４に連結されているので、このホース２５６はボール２６２が上昇することを引き起こし、その弁を開き、流体がボトルからホース２５６に入ってアキュムレータ２４０の中に入ることを可能にする。ホース２５６の末端が弁シリンダ２６６ａ内のフレア形ピストンによって遮断されているので、ホース２５６内の真空は何の作用もしない。ハンドル２２８が釈放されるか、または、そのハンドルが動ける限り遠くまで（ケーブル２５０の長さと、溝２１８の長さとによって制限されている）後退移動させられて釈放される時には、ばね２４６は、アキュムレータ２４０内のピストン２４２に逆らう力を及ぼし、その中の流体とホース２５６内の流体とを圧縮し、このことがボール２６２が落下することを引き起こし、ボトル内への流体経路を封止する。アキュムレータ２４０からの流体が、加圧された状態で、マニホルド２５４の中を通してホース２５８の中に送り込まれるが、ピストンがシリンダ２６６ａを遮断するので、さらに遠くには進まない。引き金２２２が絞られる時には、シリンダ２６６ａ内のピストンが移動させられ、このことがシリンダ内を通って流体が流れることを可能にする。アキュムレータ内の加圧された流体は、ホース２５８の中を通り、シリンダ２６６ａの中を通り、ホース２７０の中を通って、ノズルアダプタ２７２内に入り、および、ノズル２２０の中を通って外に出る。流体がアキュムレータから放出される時には、流体のすべてがアキュムレータから排出されて、ばねと引張りハンドルとがその初期位置に向かって移動するまで、または、引き金が釈放されるまで、ばねがピストンをマニホルドに向かって押し進める。
【００３１】
当業者は、本発明がプーリ２４７によって機械的な利点を実現することを理解するだろう。このようにして、ポンプを充填するために必要とされる力が低減させられる。
【００３２】
図１４は、同様の特徴を示す同様の照合番号（３００だけ番号が増分されている）を有する、第１の実施形態と同様である本発明による噴霧器３１０の第４の実施形態を示す。この実施形態における主な相違点は、ボトル３３２の荷重支持面３３４がカップリング３２４の背後の平らな表面であり、および、噴霧器上の平らな表面３２６は、下方に垂れ下がる延長部分３２７の底部に存在するということである。延長部分３２７は、概ね半円形の横断面と、ポンプを充填するためにレバー３２８が後方に引かれる時にその延長部分３２７に及ぼされる力の垂直成分に耐えるのに十分なだけの厚さとを有する。
【００３３】
図１５と図１６は第５と第６の実施形態をそれぞれに示す。これらの実施形態は、多くの点で、同様の特徴を示す同様の照合番号（それぞれに４００および５００だけ番号が増分されている）伴う形で、第１の実施形態と同様である。これらの実施形態における主な相違点が、アキュムレータ４４０、５４０が、ノズル４２０、５２０に隣接した入口と出口を有する形で配置されているということである。
【００３４】
次に図１５を参照すると、噴霧器４１０は、ノズル４２０と、引き金４２２と、荷重支持面４２６で終端する下方に垂れ下がる延長部分４２７と、インターロック４２９とを含む。充填レバー４２８と親指サポート４１９が噴霧器の頂部上に配置されている。アキュムレータ４４０が噴霧器の内側に配置されている。このアキュムレータはピストン４４２とばね４４６とを含む。可とう性ケーブル４５０の一方の末端がピストン４４２に連結されており、かつ、その他方の末端が充填レバー４２８に連結されている。複数のプーリ４５１、４５３、４５５がケーブル４５０をアキュムレータの後部から前部へ案内する。入口／出口マニホルド４５４がアキュムレータ４４０とノズル４２０との間に配置されている。入口ホース４５６がマニホルド４５４を入口逆止め弁４６０と連結させる。ピストン４６７ａを有する出口弁４６６ａがマニホルド４５４とノズル４２０との間に連結されている。ピストン（図示されていない）を有する空気逃し弁４６６ｂが入口逆止め弁４６０に隣接して設けられている。引き金４２２の上部アーム４２２ａが出口弁４６６ａのピストン４６７ａに係合し、および、引き金の下部アーム４２２ｂが空気逃し弁４６６ｂのピストンに係合する。噴霧器は、上述の噴霧器と同じ仕方で動作させられる。レバー４２８はアキュムレータを充填するために後方に引かれ、および、引き金４２２はノズル４２０の中を通して流体を供給するために後方に引かれる。引き金４２２の起動が、上部アーム４２２ａが下方に移動することを引き起こし、これによってピストン４６７ａを下方に引き、および、出口弁４６６ａを開き、液体がアキュムレータからノズル４２０の中を通って流れることを可能にする。これと同時に、下部アーム４２２ｂが後方に移動して空気逃し弁４６６ｂのピストンに係合し、アキュムレータ内の液体の体積に等しい体積の空気がボトル（図示されていない）の中に入ることを可能にする。
【００３５】
図１６は、同様の特徴を示す同様の照合番号（１００だけ番号が増分されている）伴う形で、噴霧器４１０と同様である噴霧器５１０を示す。噴霧器５１０と噴霧器４１０との間の相違点が、出口弁５６６ａがアキュムレータ５４０に直接的に連結されており、かつ、入口ホース５５６が、図１５に示されているように弁５６６ａの背後ではなく弁５６６ａに沿ってマニホルド５５４の中に入るということである。
【００３６】
図１７から図２４は、噴霧器６１０とボトル６１２との第７の実施形態を示す。この実施形態は第５および第６の実施形態と類似しており、および、同様の要素が同様の照合番号（それぞれに２００と１００だけ番号が増分されている）で示されている。噴霧器６１０は、概して、左の半シェル６１４と右の半シェル６１６とを有する長円形の本体を含む。この半シェルの各々は、上部ベーン６１４ａ、６１６ａと下部ウイング６１４ｂ、６１６ｂとを有する。図２１と図２２とに最も適切に見てとれるように、半シェルの少なくとも１つ（例えば、シェル６１６）は、側方窓６１６ｃを有する。２つのベーン６１４ａ、６１６ｂは互いに接合して、図２１と図２２とに最も適切に見てとれるように、本体の前部から後部の手前の箇所に延びる溝６１８を画定する。本体の前部は、調整可能なノズル６２０を備えており、および、本体の底部は、引き金６２２と、ボトルカップリング６２４と、荷重支持面６２６とを備えている。引張りレバー６２８がウイング６１４ｂ、６１６ｂの上方に取り付けられている。レバー６２８は、２つの脚部６２８ａ、６２８ｂと横部材６２８ｃとを有する、概ね逆Ｕ字形の形状である。横部材６２８ｃは、上方に延びるハンドル６２８ｄと、溝６１８内で係合しかつ跨る下方に延びるラダー（図示されていない）とを画定する。脚部６２８ａ、６２８ｂの末端は、ねじ６２９ａ、６２９ｂによって係合されている穴６２８ｆ、６２８ｇ（図１８）を有する。これらのねじは、左半シェル６１４と右半シェル６１６との中の穴６１４ｄ、６１６ｄと係合し、および、レバー６２８の旋回軸線を画定する。この旋回軸線が、ボトルカップリング６２４の垂直軸線に接近して位置合わせされているか、または、この垂直軸線に整合させられていることが好ましい。
【００３７】
図１７に最も適切に見てとれるように、ボトル６１２は、下部タンク区域６３０と、成人の手によって把持されるように寸法決定されている上部ネック６３２とを有する。このネック６３２は、噴霧器６１０のカップリング６２４の下方に隠されているねじ山付きのカップリングを有する。このカップリングの背後において、ボトルは、噴霧器６１０上の荷重支持面６２６に突き当たる荷重支持面６３４を有する。図示されているように、荷重支持面６３４は、ねじ山付きのカップリングから下がったネック６３２上のプラトーである。図１７と図２１と図２２とに最も適切に見てとれるように、荷重支持面６３４は、共に回転止め構造を形成する噴霧器６１０上の類似の表面６３１に係合する垂直の平らな表面６３３に隣接している。
【００３８】
次に図１８から図２０を参照すると、噴霧器６１０の内側の機構が詳細に示されている。この噴霧器は、アキュムレータ６４０（ピストンシリンダ）と、ピストン６４２と、ピストン保持器６４４と、付勢ばね６４６と、引張りケーブル６５０とを含む。半シェル６１４、６１６は、組み合わされた時に、ばね６４６に突き当たるスロット付きの保持器壁６４８を形成する。これらの構成要素は、引張りケーブル６５０をスロット付き保持器壁６４８とばね６４６との中を通して保持器６４４に延ばすことによって組み合わせられている。ケーブル６５０の一方の末端が、ピストン６４２に連結されている保持器６４４に取り付けられている。ピストン６４２は、保持器６４４とこの後に続くケーブル６５０と共にアキュムレータ６４０の中に挿入される。ばね６４６は、保持器６４４の背後でアキュムレータ６４０の中に挿入され、および、このアキュムレータはスロット付き保持器壁６４８によって閉じられる。ケーブル６５０の自由端部が壁６４８内のスロットの中を通って延びて、引張りレバー６２８に取り付けられる。アキュムレータ６４０の前方の末端には、マニホルド６５４がエルボ（ｅｌｂｏｗ）６５６を介して取り付けられている流体入口／出口６５２が存在する。マニホルド６５４は、ガスケット６５５によってボトルのカップリング６２４に連結されている。入口チューブ６５６は、ボール逆止め弁アセンブリ６６０、６６２を介してマニホルド６５４に連結されている。
【００３９】
２つの弁、すなわち、流体出口６５２内の一方の弁と、ボトル６１２のための空気入口として作用するマニホルド６５４内の他方の弁とが備えられている。出口弁はピストン６７６ａとピストンアダプタ６７８ａとを含む。このピストンは流体出口６５２内のシリンダ内の取り付けられており、および、引き金６２２に連結されているアダプタ６７８ａに連結されている。この空気入口弁は、ばね６７４と、ピストン６７６ｂと、アダプタ６７８ｂとを含む。ばねとピストンはマニホルド６５４内のシリンダ内に取り付けられており、および、ピストンは、引き金６２２に連結されているアダプタ６７８ｂに連結されている。ばね６７４は、その弁を閉じ状態に付勢し、かつ、引き金を前方に偏倚させる。引き金が後方に引かれる時には、両方の弁が開かれて、流体がノズル６２０の中を通してアキュムレータ６４０から抜け出すことを可能にし、および、空気がボトル６１２の中に入ることを可能にする。第２の逆止め弁ボール６６５がマニホルド内に取り付けられており、および、噴霧器とボトルとが逆さにされる時に作動して、通気口の中を通る漏出を防止する働きをする。
【００４０】
本明細書では、持続時間が延長された非エアゾール型の機械式噴霧器の幾つかの実施形態が説明され例示されてきた。本発明の特定の実施形態がすでに説明されているが、本発明の範囲が当業で許容される限りの広い範囲であることと、および、本明細書が同様に広範囲に理解されることとが意図されているので、本発明がこうした特定の実施形態に限定されないことが意図されている。したがって、特許請求されている本発明の着想と範囲とから逸脱することなしに、示されている本発明に対して変更が加えられることが可能であることが、当業者に理解されるだろう。
【図面の簡単な説明】
【００４１】
【図１】図１は、本発明によるボトルに取り付けられている本発明による噴霧器の第１の実施形態の側面図である。
【図２】図２は、図１の噴霧器とボトルとの前部の切断斜視図（ｂｒｏｋｅｎ  ｐｅｒｓｐｅｃｉｔｉｖｅ）である。
【図３】図３は、図１の噴霧器とボトルとの後部の切断斜視図である。
【図４】図４は、図１の噴霧器の分解組立図である。
【図５】図５は、図１の噴霧器とボトルの左側の部分的に分解された切断側面図である。
【図６】図６は、図１の噴霧器とボトルの右側の部分的に分解された切断側面図である。
【図７】図７は、本発明による噴霧器の第２の実施形態の切断側面図である。
【図８】図８は、本発明によるボトルに取り付けられている本発明による噴霧器の第３の実施形態の側面図である。
【図９】図９は、図８の噴霧器とボトルの背部の切断斜視図である。
【図１０】図１０は、図８の噴霧器とボトルの前部の切断斜視図である。
【図１１】図１１は、図８の噴霧器の分解組立図である。
【図１２】図１２は、図８の噴霧器とボトルの左側の部分的に分解された切断側面図である。
【図１３】図１３は、図８の噴霧器とボトルの右側の部分的に分解された切断側面図である。
【図１４】図１４は、本発明による噴霧器の第４の実施形態の切断側面図である。
【図１５】図１５は、本発明による噴霧器の第５の実施形態の部分的に分解された切断側面図である。
【図１６】図１６は、本発明による噴霧器の第６の実施形態の部分的に分解された切断側面図である。
【図１７】図１０は、本発明によるボトルに取り付けられている本発明による噴霧器の第７の実施形態の側面図である。
【図１８】図１８は、図１７の噴霧器の分解組立図である。
【図１９】図１９は、図１７の噴霧器とボトルの右側の部分的に分解された切断側面図である。
【図２０】図２０は、図１７の噴霧器とボトルの左側の部分的に分解された切断側面図である。
【図２１】図２１は、図１７の噴霧器とボトルの前部の切断斜視図である。
【図２２】図２２は、図１７の噴霧器とボトルの後部の切断斜視図である。
【図２３】図２３は、図１７の噴霧器とボトルの切断背面図である。
【図２４】図２４は、図１７の噴霧器とボトルの切断正面図である。
【図１】
2008543544.tif 000003
【図２】
2008543544.tif 000004
【図３】
2008543544.tif 000005
【図４】
2008543544.tif 000006
【図５】
2008543544.tif 000007
【図６】
2008543544.tif 000008
【図７】
2008543544.tif 000009
【図８】
2008543544.tif 000010
【図９】
2008543544.tif 000011
【図１０】
2008543544.tif 000012
【図１１】
2008543544.tif 000013
【図１２】
2008543544.tif 000014
【図１３】
2008543544.tif 000015
【図１４】
2008543544.tif 000016
【図１５】
2008543544.tif 000017
【図１６】
2008543544.tif 000018
【図１７】
2008543544.tif 000019
【図１８】
2008543544.tif 000020
【図１９】
2008543544.tif 000021
【図２０】
2008543544.tif 000022
【図２１】
2008543544.tif 000023
【図２２】
2008543544.tif 000024
【図２３】
2008543544.tif 000025
【図２４】
2008543544.tif 000026
【国際調査報告】
2008543544.tif 000027